(57)【要約】【課題】絵画などを外衝から保護し、かつ、絵画などの表面全体が外見できる簡易型の額縁を提供する。【解決手段】周囲に台座５が形成された多角形の基部２と、これの各辺に延設された額縁の枠部１０を形成するための第一面部６、第二面部７、そして第三面部８からなる枠用片３、さらに第一面部の縁に延設された隣接する第一面部同士を結合するための連結片４とが一枚の張り性を有するシート材によって構成され、各枠用片３を内向きに折り曲げて形成した断面が中空、かつ直角三角形の枠部１０をその斜辺が外側を向くように基部２の周囲に設けて収納部１２を形成している額縁１。【選択図】図１
2013099454.tif 000002
【特許請求の範囲】
【請求項１】
多角形の基部と、これの各辺に延設された額縁の枠部を形成するための枠用片とからなる一枚の張り性を有するシート材によって構成され、各枠用片を内向きに折り曲げて断面が中空で、かつ斜辺が外側を向く直角三角形とし、その枠部内を収納部としている額縁。
【請求項２】
前記枠用片が、外に向かって順に第一面部、第二面部、そして第三面部の三面からなり、第三面部の先端が基部と第一面部の折れ曲がり部に当接している請求項１記載の額縁。
【請求項３】
前記シート材が紙である請求項１記載の額縁。
【請求項４】
前記基部の中央が開口している請求項１記載の額縁。
【請求項５】
前記枠用片の端部にこれと隣接する枠用片の内面に接着する連結片が延設されている請求項１記載の額縁。
【発明の詳細な説明】
【技術分野】
【０００１】
本発明は、主に、比較的軽量な絵画や写真などを収めるために用いるシート材からなる額縁に関する。
【背景技術】
【０００２】
特許文献１の図１に示されている簡易型の額縁では本体部と枠の間に溝を設け、その溝に写真等の周りを挿し込んで収容するようになっている。そのため、上記の枠は断面が略三角形に形成されている。このような枠は内側および外側の面が傾斜しているため、外圧に対して変形し易い。したがって、この額縁は絵画等を保護するのに問題がある。また、絵画の周縁が不外見になるという問題がある。
【先行技術文献】
【特許文献】
【０００３】
【特許文献１】特開２００７−０９７８５５公報
【発明の概要】
【発明が解決しようとする課題】
【０００４】
本発明は、絵画などを外圧から保護し、かつ、絵画などの表面全体が外見できる簡易型の額縁を提供することを課題としている。
【課題を解決するための手段】
【０００５】
本発明の額縁は、多角形の基部と、これの各辺に延設された額縁の枠部を形成するための枠用片とからなる一枚の張り性を有するシート材によって構成され、各枠用片を内向きに折り曲げて断面が中空で、かつ斜辺が外側を向く直角三角形とし、その枠部内を収納部としていることを特徴としている。
【０００６】
前記枠用片は、外に向かって順に第一面部、第二面部、そして第三面部の三面からなり、第三面部の先端を基部と第一面部の折れ曲がり部に当接しているのが好ましい。
【０００７】
前記シート材は紙であるものが好ましい。
【０００８】
前記基部は中央が開口しているのが好ましい。
【０００９】
前記枠用片の端部にこれと隣接する枠用片の内面に接着する連結片が延設されているのが好ましい。
【発明の効果】
【００１０】
本発明の額縁は、多角形の基部と、これの各辺に延設された額縁の枠部を形成するための枠用片とからなる一枚の張り性を有するシート材によって構成され、各枠用片を内向きに折り曲げて断面が中空で、かつ斜辺が外側を向く直角三角形とし、その枠部内を収納部としている。つまり、枠部はＬ形を形成している内面と底面が外側の傾斜面を支持するという構造になっている。そのため、枠部は外圧に対して型崩れが防止可能になっている。したがって、この額縁は収納部の枠部に外圧があっても絵画を保護することができる。
【００１１】
また、枠は中空に形成されているので、弾力性を有している。そのため、収納部に収容される絵画は外周が枠に圧着可能になっているので、落下防止されている。したがって、絵画は周縁を覆わなくても落下防止されるので、絵画の全面を鑑賞することができる。
【００１２】
また、前記枠用片が、外に向かって順に第一面部、第二面部、そして第三面部の三面からなり、第三面部の先端を基部と第一面部の折れ曲がり部に当接している場合、第三面部は外向きに移動が阻止されている。したがって、枠部は外圧に対して、変形をより確かに防止することができる。
【００１３】
また、前記シート材が紙の場合、安価な額縁を提供することができる。
【００１４】
また、前記基部の中央が開口している場合、周囲はフランジが形成されているので、額縁は表裏を反転すれば、絵画の周囲を覆うフレーム付き額縁としても使用することができる。このように、額縁は二通りの形態で使用することができる。
また、絵画自体を壁などに吊るし、額縁は逆に絵画に付着させることができる。
【００１５】
また、前記枠用片の端部にこれと隣接する枠用片に接着する連結片が延設されている場合、連結用片を隣接する枠用片に接着させることにより、隣接する枠用片を結合させると共にその結合状態を補強することができる。したがって、枠部はより一層、強度が高くなるので、より確実に型崩れを防止することができる。
なお、本願発明の額縁は、主に、多見される木枠などの台付きの絵画、または、写真を飾るのに使用されるものである。
【図面の簡単な説明】
【００１６】
【図１】本発明の額縁の一実施形態を示す組立前のシート材の展開状態の平面図である。
【図２】図１のシート材を折り曲げて形成した額縁の斜視図である。
【図３】図２の額縁の一部省略の横断面図（または縦断面図）である。
【図４】図４ａは図２の額縁を表裏反転した斜視図であり、図４ｂは図４ａの横端面図である。
【発明を実施するための形態】
【００１７】
本願発明の額縁１（図２参照）は、図１に示す扁平のシート材を折り曲げて形成されている。このシート材は、張り性のある薄肉の紙製であるが、紙の他にポリプロピレン、また、その他の合成樹脂製であってもよい。いずれのものも安価であり、また、軽量なので運搬がし易い。
【００１８】
図１に示すように、シート材は矩形の基部２と、その周囲の各辺に延設された枠用片３と、この上および下の枠用片３の両端の下部に延設された連結片４とからなっている。
【００１９】
基部２は、中央が大きく開口し、周囲が絵画などを載せる台座５になっている。各枠用片３は、外に向かって順に第一面部６、第二面部７、そして第三面部８の三面からなり、各面の境界にはその裏面側に基部２の縁と平行に走る筋状の溝９が設けられ、また、基部２と枠用片３との間にも同様の溝９が設けられている（図３参照）。なお、溝９に代わり、ミシン目線のような間欠的な穴を穿設したものであってもよい。また、単なる、折り目線でもよい。
【００２０】
図１に示す各枠用片３は、各第一面部６を内向きに折り曲げて立状態にし、隣接する第一面部６の端部同士を当接させて、一方の第一面部６に有する連結片４を他方の第一面部６の内面にそれぞれ接着し、次に第二面部７、そして第三面部８をそれぞれ内向きに折り曲げて断面が中空の直角三角形の枠部１０を形成し、第三面部８を基部２の周縁に設ける（図３参照）。この時、第三面部８の先端は、図３に示すように、台座５と第一面部６の折れ曲がり部１１に当接させている。
【００２１】
このようにして形成された額縁１の収納部１２は、図２及び図３に示すように、矩形の枠状の台座５と、この周縁に設けられた枠部１０とによって形成されている。枠部１０の内側は第二面部７が基部２に向かって垂直に延び、底側の第三面部８と共にＬ形の面に形成され（以下、Ｌ形面と称す）、同外側は第一面部６面が傾斜した状態に形成される。このＬ形面は前記のとおり、第三面の先端が折れ曲がり部１１に当接しているので、これ自体がそれ相当の強度を有している。そんため、変形防止されている。しかして、この外側の傾斜面は内側のＬ形面によって支持されるので、図３の矢印に示すように、外側からの衝撃などを受圧しても、型崩れが防止されている。
【００２２】
また、この枠部１０のコーナー部は図２に示すように、枠部同士が直角に交叉して当接しているので、枠部１０の中間部よりも強度は高くなっている。そのため、枠部１０の中間部は両端部によって補強されているので、捻じれおよび変形が防止されている。
【００２３】
また、基部２は中央が大きく開口しているので、強度は開口していないものに比して弱くなるが、周縁を上記の枠部１０が囲繞しているので、補強されている。そのため、収納部１２の底部は捻じれおよび変形が防止されている。また、台座５の形状も保持されている。したがって、この額縁１は、組立前のシート状態は勿論のこと、組立後の立体的な額縁の状態においても、捻じれたり変形のない安定した形状を維持しているので、運搬がし易く、また、収納部における絵画の収納状態は安定している。
【００２４】
また、収納部１２の内側は、図３に示すように、中空の枠部によって形成されているため、柔軟性がある。そのため、絵画Ａは収納部１２の周壁に密着状態で収容することが可能になっている。また、額縁１と一体化させることが可能になっている。つまり、絵画Ａに額縁１を付着させることが可能になっている。したがって、絵画の移動、あるいは移送の際、額縁Ａを持つのではなく、基部２の開口部より絵画Ａなどの背面を直接、支持あるいは持つことができるので、額縁１から絵画Ａが落下するのは防止できる。
【００２５】
さらに、収容部１２に収容された絵画Ａは周りが柔軟な枠部１０で囲まれているので、枠部１０によって直撃が防止されている。一方、枠部１０は絵画Ａが収容されていることによって形状が安定するので、絵画Ａの保護をより確実にする。
【００２６】
この実施形態の額縁１は収納部１２の表面側が全面的に開口しているので、絵画の全面が外見可能になっている。また、絵画を収納口から突出した状態で収容することも可能になっている。また、図４ａおよび図４ｂに示すように、図２の額縁１を表裏反転させることによって、収納部１２の周りの台座５がフレームの代わりになり、一般的なフレーム付き額縁としても使用することが可能になっている。このように、この額縁は、絵画等のデザインや装飾する環境などを考慮しながら、いろいろな方法で使用することができる。なお、図４ｂの二点鎖線は絵画Ａを示している。
【符号の説明】
【００２７】
１  額縁
２  基部
３  枠用片
４  連結片
５  台座
６  第一面部
７  第二面部
８  第三面部
９  溝
１０  枠部
１１  折れ曲がり部
１２  収納部
Ａ  絵画
【図１】
2013099454.tif 000003
【図２】
2013099454.tif 000004
【図３】
2013099454.tif 000005
【図４】
2013099454.tif 000006